(57)【要約】回転データ記憶ディスク１０８と、データ読取りおよび書込み関係で作動状にインターフェース接続するアクチュエータ１１２とを有するデータ記憶装置１００用の空気流調節装置１３８。装置１３８は、回転ディスク１０８によって生成される気流の方向に関して、アクチュエータ１１２の下流に、空気流ストリッパ１４０を備える。空気流ストリッパ１４０は、データ記憶ディスク１０８の外側径方向部分から内側径方向部分までほぼ径方向に伸び、かつデータ記憶表面１２２に隣接するベーン１４２を備える。ベーン１４２は、データ・ディスク１０８を横切ってアクチュエータ１１２が移動する径方向経路に沿って、アクチュエータの遠位端１２０に対してほぼ横切る方向に配置される。
2004505396.tif 000002
【特許請求の範囲】
【請求項１】
装置の構成要素に対する気流の空力励振を減衰させるためのデータ記憶装置用の空気流調節装置であって、データ記憶装置が、回転データ記憶ディスクを担持するエンクロージャと、データ転送関係で作動状にインタフェース接続するアクチュエータとを有し、回転ディスクによって生成された気流の方向に関して、アクチュエータの下流に担持可能であり、かつディスクの外側径方向部分から内側径方向部分にほぼ径方向に伸びるベーンを備える空気流ストリッパを含む装置。
【請求項２】
ベーンが、アクチュエータの遠位端に対し、ほぼ横切る方向に配置される、請求項１に記載の装置。
【請求項３】
空気流ストリッパを担持するエンクロージャによって担持可能なフレームをさらに備え、フレームが、データ記憶ディスクの外縁に対しほぼ横切る方向の境界面を画定しかつベーンと交差するシュラウドを備える、請求項１に記載の装置。
【請求項４】
シュラウドが、境界面から伸びかつデータ記憶ディスクとほぼ同一状の広がりである平面表面を画定するフィンを備え、平面表面に対しほぼ横切る方向でありかつデータ・ディスクの外縁と密接に整合して平行である縁をさらに備える、請求項３に記載の装置。
【請求項５】
フレームが、動作位置と引込み位置の間で動くベーンを担持し、フレームが、ベーンを動作位置に保持する保持部材を備える、請求項３に記載の装置。
【請求項６】
フレームが、エンクロージャ内においてフレームに対し取付け力を提供する、エンクロージャと圧縮係合可能な偏倚部材を備える、請求項３に記載の装置。
【請求項７】
ベースとカバーを備えるエンクロージャと、
ベース上で担持されたモータによって回転されるディスク・スタックと、
ベースによって担持され、かつディスク・スタックのデータ記憶表面とのデータ転送関係でデータ転送要素を動かす遠位端を有するアクチュエータと、
回転ディスク・スタックによって生成された気流の方向に関してアクチュエータの下流に空気流ストリッパを備えるエンクロージャによって担持された空気流調節装置とを備えるディスク・ドライブ。
【請求項８】
空気流ストリッパが、ディスク・スタックの外側径方向部分から内側径方向部分にほぼ径方向に伸び、データ記憶表面に隣接し、かつアクチュエータの遠位端に対し、ほぼ横切る方向に配置されたベーンを備える、請求項７に記載のディスク・ドライブ。
【請求項９】
空気流調節装置が、ディスク・スタックの外縁に対しほぼ横切る方向の境界面を画定しかつベーンと交差するシュラウドを備える、請求項７に記載のディスク・ドライブ。
【請求項１０】
シュラウドが、ディスク・スタックとほぼ平行な境界面から伸びるフィンを備える、請求項９に記載のディスク・ドライブ。
【発明の詳細な説明】
【０００１】
（発明の分野）
本発明は、一般に、データ記憶装置の分野に関し、より具体的には、回転するデータ記憶ディスクによって生ずる気流が構成要素に与える空力励振を制御することに関するが、これに限定するものではない。
【０００２】
（発明の背景）
ディスク・ドライブ（駆動装置）など現代のデータ記憶装置は、多くのコンピュータ環境で一般に用いられて、ユーザが容易に利用可能な形態で大量のデータを記憶する。一般に、ディスク・ドライブは、モータによって高速で回転する磁気ディスク、または２つ以上のスタック（積み重ね）磁気ディスクを有する。各ディスクは、データが磁束転移の形態で記憶される一連の一般に同心円状のデータ・トラックに分割されたデータ記憶表面を有する。
【０００３】
磁気変換器などのデータ転送部材は、アクチュエータによって、データ記憶表面に隣接する選択位置に動かされ、ディスクからデータを読み取る際に磁束転移を感知し、そしてディスクにデータを書き込む際に電気信号を送信して磁束転移を誘起する。データ転送部材の活動要素は、アクチュエータから伸びるサスペンション構造によって担持される。活動要素は、回転するディスクによって生じた気流によって生成されるエアベアリング（空気軸受）にのってデータ記憶表面上のわずかな距離に維持される。
【０００４】
当業界では引き続き、ディスク・ドライブの物理的なサイズを維持または小型化しながらデータの記憶能力と処理速度をさらに増大させる傾向にある。その結果、データ転送部材と担持構造は、絶えず小型化され、データ記憶密度は、絶えず増大している。結果として、トラック幅の割合として、振動に対する感度が全体的に増大した。これらの振動は、アクチュエータを回転ディスクに対して動かす位置決め制御システムに、悪影響を及ぼすことがある。
【０００５】
もはや無視することのできない励振の１つの源は、ディスク・スタック内で動き、かつディスク・ドライブの構成要素に当たる気流に起因する。気流の速度と、したがって関連する力とは、回転軸から径方向の距離に関連して増大する。したがって、気流は、ディスクの外側部分でより速く動き、より乱流となりやすい。乱流は、ディスク（フラッタ）および／またはアクチュエータ、特にサスペンション部材（バッファリング）に逆振動または空力励振を与えることがある。乱流の生成は、空気流がアクチュエータを通過する際にアクチュエータのウェーク（後流）から形成された渦が流れ出ることによって、また、空気流がディスク・スタックから放出される際にディスクの縁に作用することによって生ずる可能性がある。さらに、アクチュエータからのウェーク励振により、ディスクの振動が増大する。
【０００６】
空気流の励振は、アクチュエータの下流に空気流ストリッパ（剥離具）とエア・ダム（通気しゃ断具）を備えた空気流調節装置によって低減できることが確認されている。本発明の実施形態は、これに対する改良を対象とする。
【０００７】
（発明の概要）
本発明の実施形態は、ディスク・ドライブ構成要素に対する気流の空力励振を減衰させるためのディスク・ドライブ用の空気流調節装置を提供することを対象とする。ディスク・ドライブは、通常、回転するデータ記憶ディスクを担持するエンクロージャ（容器）と、データ転送関係で作動状にインタフェース（仲立ち）接続するアクチュエータとを有する。本発明の一実施形態では、空気流調節装置は、気流の方向に関して、アクチュエータの下流に担持可能な空気流ストリッパを備える。空気流ストリッパは、データ記憶ディスクの外側径方向部分から内側径方向部分にほぼ径方向に伸び、かつデータ記憶表面に隣接するベーン（羽根）を備える。ベーンは、データ記憶ディスクを横切ってアクチュエータが移動する径方向の経路に沿って、アクチュエータの遠位端に対し、ほぼ横切る方向に配置される。
【０００８】
本発明の他の実施形態では、空気流調節装置は、エンクロージャによって担持可能なフレームを備え、フレームは、空気流ストリッパを担持する。フレームは、データ記憶ディスクの外縁に対し、ほぼ横方向に境界面を形成し、かつ空気流ストリッパと交差するシュラウド（覆い）をさらに備えることができる。シュラウドは、境界面から伸び、かつデータ・ディスクのデータ記憶表面とほぼ共面を成す平面表面を形成するフィン（ひれ）をさらに備えることができる。
【０００９】
本発明の他の実施形態では、フレームは、動作位置と引込み位置との間を動く空気流ストリッパを担持する。保持部材は、空気ストリッパを動作位置に保持する。偏倚部材は、エンクロージャと圧縮係合してエンクロージャに保持するための、フレームに対する取付け力を生成することができる。
【００１０】
これらおよび様々な他の特徴と、そして本発明を特徴付ける利点とは、以下の詳細な説明を読み、関連図面を見ることによって、明らかになるであろう。
【００１１】
（詳細な説明）
図面を全体的に参照し、そして図１を詳細に参照すると、本発明の実施形態に従って構築したディスク・ドライブ１００の平面図が示されている。ディスク・ドライブ１００には、様々なディスク・ドライブの構成要素を取り付けるベース１０２と、ベース１０２および周囲ガスケット１０５と共に、封止された内部環境をディスク・ドライブ１００に提供するエンクロージャを形成するカバー１０４（一部切断）とが含まれる。構築の多くの詳細は、当業者にはよく知られており、本発明を理解するために必要ではないので、以下の記述には含まれていない。
【００１２】
ベース１０２にはモータ１０６が取り付けられ、このモータに対して、１つまたは複数のディスク１０８が積み重ねられ、かつ高速で回転するために、クランプ・リング１１０によって固定される。複数のディスク１０８を積み重ねて、ディスク・スタックを形成する場合、隣接するディスク１０８は、通常、ディスク・スペーサ（図示せず）によって分離される。アクチュエータ１１２は、ディスク１０８に平行な平面において、旋回軸受１１５の周りに旋回する。アクチュエータ１１２は、アクチュエータ・アーム１１６（図１では１つだけ示す）を有し、これは、アクチュエータ・アーム１１６が、隣接するディスク１０８間の空間内で動く際に、ディスク１０８を横切って移動するロード・アーム１１８を担持する。ロード・アーム１１８は、読取り／書込みヘッド１２０など、データ転送部材を担持するフレックス（屈曲）部材であり、読取り／書込みヘッド１２０のそれぞれは、データ読取りおよび書込みの関係で、ディスク１０８の１つの表面に作動状にインタフェース接続する。この関係は、回転ディスク１０８によって生成された気流によって支えられたエアベアリング上で、読取り／書込みヘッド１２０を動作可能なように担持するスライダ（図示せず）によって維持される。
【００１３】
ディスク１０８のそれぞれはデータ記憶領域を有し、このデータ記憶領域は、同心円状の円形データ・トラック（図示せず）に分割されたデータ記録表面１２２より成る。読取り／書込みヘッド１２０のそれぞれは、データ・トラックからデータを読み取るために、またはデータ・トラックにデータを書き込むために、望ましいデータ・トラックに隣接して配置される。データ記録表面１２２は、ディスク１０８が回転していないときに、読取り／書込みヘッド１２０がそれぞれのディスク１０８に接して静止するようになることができる円形ランディング・ゾーン１２４によって、内向きに境界を定めることができる。これに代えて、ランディング・ゾーンは、他の場所に配置することができる。
【００１４】
アクチュエータ１１２は、電気コイル１３０と磁気回路源を備えるボイス・コイル・モータ（ＶＣＭ）１２８によって位置決めされる。従来通り、磁気回路源は、磁気回路を完成するように、磁気ポールによって担持された１つまたは複数の磁石を備える。制御された電流が、アクチュエータのコイル１３０を通過するとき、磁気回路と交差する電磁場ができて、アクチュエータのコイル１３０を動かす。アクチュエータのコイル１３０が動く際に、アクチュエータ１１２は、旋回軸受１１５の回りに旋回し、読取り／書込みヘッド１２０を、ディスク１０８を横切って移動させる。
【００１５】
以前に言及したように、モータ１０６は、読取り／書込みヘッド１２０が、データ記憶表面１２２からデータを読み取り、そしてデータ記憶表面１２２にデータを書き込む際に、ディスク１０８を高速で回転させる。回転ディスク１０８の運動エネルギーは、ディスク／空気の界面の境界層を通って伝達され、それにより、回転力の成分を気流に誘起し、遠心力が、径方向の力の成分を気流に与えて、全体として外向きのらせん空気流を創成する。回転軸からの径方向の距離が増大すると、ディスク１０８の線速度が相対的により速くなるので、気流は、径方向外向きに動く際に、速度を獲得する。
【００１６】
空気流調節装置１３８は、流れの方向（図１の符号１１１）に関して、アクチュエータ１１２の下流に担持可能な空気流ストリッパ１４０を備える。空気流ストリッパ１４０は、データ・ディスク１０８の外側径方向部分から内側径方向部分までほぼ径方向に伸び、それにより、ディスク１０８のデータ記憶表面１２２に隣接して配置される、いくつかのベーン１４２（図１では１つだけ示す）を備える。２つ以上のディスク１０８が、スペーサを用いて積み重ねられ、ディスク・スタックを形成する場合、空気流ストリッパ１４０は、隣接するディスク１０８の両方のデータ記憶表面１２２に隣接するように、隣接するディスク１０８間の空間に配置した対応するいくつかのベーン１４２を備えることができる。
【００１７】
図２は、図１の空気流ストリッパ１４０の拡大した詳細図であり、ベーン１４２が、アクチュエータ１１２の遠位端に対し、ほぼ横方向に、動作可能なように配置される様子を示す。より具体的には、ベーン１４２は、ディスク１０８を横切る読取り／書込みヘッド１２０の弓形の径方向経路と整合する特徴的な弓形の形状を有する前縁１４４を有することが好ましい。これにより、ベーン１４２は、アクチュエータ１１２の全ての位置に対して、読取り／書込みヘッド１２０の下流に、ほぼ常時配置することが可能になる。固定された分離が好ましいが、図３は、ほぼ線形の前縁１４４を有する代替ベーン１４２を示す、図２と同様の図である。この場合、ベーン１４２と読取り／書込みヘッド１２０の間の分離は、気流の速度が最大である、データ記憶表面１２２の最も外側の部分において最小であることが好ましい。
【００１８】
図４は、図１の分割線４−４に沿った断面図であり、ディスク・スタックの積み重なったディスク１０８にはさまれた複数のベーン１４２を示す。各ベーン１４２は、隣接するディスク１０８間の空間をほぼ埋めるような大きさである。図４は、２つのディスク１０８を備えたディスク・スタックを示すが、関連するいくつかのベーン１４２が、より多くまたはより少ないディスク１０８を備えたディスク・スタックに同様に適応できることが理解されるであろう。
【００１９】
読取り／書込みヘッド１２０の下流の空間をほぼ埋めることによって、ベーン１４２は、アクチュエータ１１２に対する気流の空力励振の影響を低減する。例えば、ベーン１４２は、気流の平均的な流れを減速させることによって、アクチュエータ１１２に作用するレイノルズせん断応力を減少させる。また、ベーン１４２は、完全に確定した気流の流れ条件を確立するように、ハニカム装置とほぼ同様に、フロー・ストレイトナ（整流）装置のように作用し、それにより、アクチュエータ１１２の下流に形成された３次元のウェークを抑制する。さらに、上述した理由などのために、アクチュエータ１１２に対する空力励振が低減される際に、望ましいアクチュエータ１１２の動きに対するトルク擾乱が低減される。
【００２０】
空気流ストリッパ１４０は、全体としてエンクロージャによって担持することができる。例えば、図５は、複数のベーン１４２が依存するシャフト１４６を備えた図１の空気流ストリッパ１４０の立面図を示す。シャフト１４６は、ベース１０２の一部によって担持された、またはベース１０２の一部として形成されたボス１４８と受け止め式に係合する縦方向の開口を備えることができる。ツール機構１４９は、シャフト１４６を回転させるための組立て工具と受け止め式に係合するように、設けることができる。
【００２１】
この担持構造または同等物は、ベーン１４２が、引込み位置（ディスク１０８にはさまれていない）と動作位置（ディスク１０８にはさまれている）との間で動くことができるように、空気流ストリッパ１４０の旋回担体を提供するために使用することもできる。図１は、空気流ストリッパ１４０の動作位置を示す。図６は、図１のディスク・ドライブ１００の部分的に切断した等角投影図であり、引込み位置まで回転した空気流ストリッパ１４０を示し、かつ空気流ストリッパ１４０の動作位置を破線で示す。
【００２２】
空気流ストリッパ１４０は、ディスク１０８の周囲で、かつアクチュエータ１１２の下流にあるシュラウドと共に使用するとき、より効果的であり得る。本明細書で使用する際に、「シュラウド」は、回転ディスク１０８の端に対し横方向の静止直立表面を意味する。ディスク・スタックを覆うことにより、空力励振源を低減することができる。さらに、覆うことにより、流れを層流化し、エンクロージャにおける３次元の影響が低減する。また、覆うことにより、ディスク・スタックから放出された気流からディスク１０８に対する軸力を生成する、ディスクの縁における離脱する渦の影響が最小限に抑えられる。また、覆うことにより、回転ディスク１０８に対する抵抗効力が低減され、それにより、ディスク・スタックを望ましい回転速度に維持するのに必要なパワーが最小限に抑えられる。
【００２３】
部品の数を最小限に抑え、かつ製造工程を簡単にするために、シュラウドをベース１０２の一部として提供し得ることが有利である。ベース１０２は、回転ディスク１０８の周囲を完全に覆う特徴的な直立部分を有することが理想的である。しかし、アクチュエータ１１２のための開口が、シュラウドに必要である。開口は、最小でも、読取り／書込みヘッド１２０を望ましい移動の限度内で動かす際に、アクチュエータ１１２の中心部分にクリアランスを設けるように十分広い。
【００２４】
図７と８は、図１のディスク・ドライブ１００の一部の簡略図であり、アクチュエータ１１２が通って動く開口１５４を残して、第１端部１５０から第２端部１５２まで周囲に延びるベース・デック１０２によって形成されたシュラウドを示す。図７では、アクチュエータ１１２は、望ましい内側移動限度まで旋回し、一方、読取り／書込みヘッド１２０は、ランディング・ゾーン１２４にあることができる。図８では、アクチュエータ１１２は、望ましい外側移動限度まで旋回し、ここではアクチュエータ１１２とディスク・スタックは、組み合わされない。これにより、他のものを据え付けたまま、アクチュエータ１１２またはディスク・スタックの組立てまたは取替えが可能になる。また、これにより、向上した非動作ショック保護のために、ディスク・スタックから離れて読取り／書込みヘッド１２０を担持する、オフ・ロード・ランプなど、読取り／書込みヘッド１２０のパーキング装置（図示せず）を使用することが可能になる。
【００２５】
図１のディスク・ドライブ１００の場合のように、アクチュエータ１１２の動作外側移動限度が最も外側のデータ・トラックである場合、アクチュエータ１１２の下流にあるディスク・スタックの部分は、アクチュエータ１１２とディスク・スタックが組み合わされた後、覆うことができる。それに応じて、図１の空気流調節装置１３８は、ディスク１０８の外縁に対し、ほぼ横方向に配置された境界面１５８を備えるシュラウド部分を担持する取付けフレーム部分１５６を備える。境界面１５８は、アクチュエータ１１２が通って動く開口１５４（図７および８）を狭くするように、空気流ストリッパ１４０のベーン１４２と交差する第１端部から第２端部まで伸び、それにより、可能な限りディスク１０８を覆うことが好ましい。
【００２６】
図９は、空気流調節装置１３８の境界面１５８部分の一部を拡大した詳細図である。空気流ストリッパ１４０に隣接する第１端部において、境界面１５８を、ディスク１０８の縁に密接に合わせることによって、ディスク・スタックから放出される空気は、読取り／書込みヘッド１２０の領域には、ほぼ存在しない。境界面１５８を、第２端部においてディスク１０８の縁から離し、そしてその間で、先細りにすることによって、対応して、より多くの空気流が、読取り／書込みヘッド１２０から遠くに除去された領域のディスク・スタックから放出される。これは、矢印１６１によって示した方向の、ディスク・スタックから放出された気流の導出となる。
【００２７】
しかし、境界面１５８とディスク１０８の縁との間のギャップが大きくなり、その結果、比較的より多くの気流が、ディスク・スタックから放出されるようになるにつれ、隣接する空間からの気流の結合がより大きくなり、乱流となる。図１０は、径方向に放出された気流が、ディスク１０８の縁に軸力を与える乱気流の円形渦巻きを形成する様子を示す。この乱流は、ディスクの縁から離脱した渦によって生じる。離脱する渦の影響を最小限に抑えるために、空気流調節装置１３８（図１）は、ディスク１０８のそれぞれと平面整合したフィン１６０を備えることができる。図１１は、それぞれのディスク１０８のデータ記憶表面１２２とほぼ共面状に整合した対向する平面表面１６２、１６４を備えるフィン１６０を示す。横縁１６６は、ディスク１０８の縁に密接に合わされた関係で配置される。したがって、図１１に参照矢印によって示した放出された気流は、ディスク１０８からそれて、離脱する渦の影響を低減する。これにより、ディスク１０８に対する気流の空力励振の影響が低減される。
【００２８】
図１２は、図６の線１２−１２に沿った断面図であり、空気流ストリッパ１４０の引込み位置において、ベーン１４２をフィン１６０ではさむことができる方法を示す。これにより、空気流調節装置１３８をエンクロージャ内に据え付けて、空気流ストリッパ１４０を動作位置に動かすことが可能になる。図１３から１５は、空気流ストリッパ１４０の引込み可能性の特徴装備に関連する組立て順序を示す平面図である。まず、アクチュエータ１１２とディスク・スタックを、ベース１０２に取り付けて、組み合わせる（図１３）。これに代えて、アクチュエータ１１２とディスク・スタックを組み合わせて、一緒にベース・デック１０２に据え付けることができる。続いて、空気流調節装置１３８を、空気流ストリッパ１４０が引込み位置にある状態で、ベース１０２に配置する（図１４）。次いで、空気流ストリッパ１４０を動作位置に動かす（図１５）。
【００２９】
いくつかの製造可能性のための設計特徴を提供することができる。例えば、全体として空気流ストリッパ１４０を動作位置に確実に配置する特徴を提供することができる。図１６は、空気流ストリッパ１４０の拡大図であり、ベーン１４２は、動作位置に達した後、さらに回転することを制限するために、ベース１０２の選択部分と隣接係合する延長部分１６８を備える。
【００３０】
他の製造可能性のための設計特徴は、空気流ストリッパ１４０を動作位置に確実に保持することに備える。図１６では、例えば、空気流調節装置１３８は、内部に形成した移動止め１７２を有する、延長ばね部材１７０を備える。シャフト１４６は、移動止め１７２内で、受け止め式に係合するタブ１７４を備える。動作位置に向かう空気流ストリッパの回転により、タブ部分１７４は、ばね部分１７０と係合して、たわませる。動作位置では、タブ１７４は、ばね部分１７０が、圧縮されて、タブ１７４に対して係合するように戻るとき、移動止め１７２内で、受け止め式に保持される。
【００３１】
図１６は、旋回運動の際に、空気流ストリッパ１４０を担持する代替方式をさらに示す。取付けフレーム部分１５６は、例えば、シャフト１４６が、内部で回転するために、中へ受け止め式に保持される開口（図示せず）を備える延長担持部材１７６を備える。
【００３２】
他の製造可能性のための設計特徴は、ねじ部品など、別々の固定具を必要とせずに、空気流調節装置１３８の取付けフレーム１５６の一部をエンクロージャに固定することに備える。図１７は、取付けフレーム１５６の部分断面図を、ベース１０２とカバー１０４の間に動作可能なように挿入することができる方式で示す。取付けフレーム１５６は、その一端に、１つまたは複数の位置決めタブ１７８を備え、他端に、１つまたは複数の位置決めタブ１８０を備えることができ、これらのタブは、取付けフレーム１５６の動作位置において、ベース１０２の対応する孔と整合している。片持ち式延長ばね部材１８２は、ベース１０２に取り付けられたとき、カバー１０４によって圧縮係合される拡張部分１８４を有する。これにより、ばね部材１８２は、取付けフレーム１５６に伝達される力を受け、それにより、取付けフレーム１５６をベース１０２に対して押し付ける。ばね１８２とタブ１７８、１８０のこの共動により、別々の固定具を必要とせずに、取付けフレーム１５６に対し、必要な取付け力が提供される。
【００３３】
図１８は、図１７の線１８−１８に沿った断面図であり、フィルタ・カートリッジ１８８を受け止め式に担持することができる取付けフレーム１５６によって形成された空洞１８６を示す。
【００３４】
一つの代替実施形態では、ベーン１４２（図１）は、動作位置の遠位端が、最も内側のデータ・トラックに隣接して伸びて、空気流調節装置のエア・ファネリング（漏斗）効果を相対的に増大するように、図１に示した末端位置から径方向内向きに延長することができる。他の代替実施形態では、空気流調節装置は、図１に示した回転とは反対のスピンドル・モータ回転を有するディスク・ドライブと組み合わせて使用することができる。この場合、空気流調節装置は、アクチュエータ１１２の上流にあることが効果的であり、より具体的には、読取り／書込みヘッド１２０の上流にあることが効果的である。
【００３５】
まとめると、モータ（１０６など）の制御下で回転するデータ・ディスク（１０８など）のデータ・スタック内に生成された気流の空力励振の影響を弱めるための、データ記憶システム（１００など）用の空気流調節装置を開示した。データ・ディスクは、データ読取りおよび書込み関係で、読取り／書込みアセンブリ（１２０など）を担持するアクチュエータ（１１２など）と作動状にインタフェース接続して、回転する。
【００３６】
空気流調節装置は、ディスクの数のそれぞれと関連付けられ、かつ隣接するディスク間に挿入されたいくつかのベーン（１４２など）を有する下流ストリッパ（１４０など）を含むことができる。ベーンは、ディスクの外側径方向部分から内側径方向部分に、データ・ディスクを横切って径方向に伸びる読取り／書込みヘッドの経路に対し、ほぼ横方向に配置されることが好ましい。
【００３７】
空気調節装置は、空気流を層流化して、ディスクとアクチュエータ組立体に対する空力励振を低減する下流フィン付きシュラウド（１３８など）をさらに含むことができる。シュラウドは、隣接するディスク間の空間からの気流を混合せずに、放出された気流をディスク・スタックから離れるように誘導するために、ディスクまでほぼ同一の広がりで伸び、かつ縁から縁まで密接に合わされた関係にある、いくつかのフィン（１６０など）を有することができる。
【００３８】
空気流調節装置は、データ記憶システムのエンクロージャ（１０２など）によって担持可能であり、かつ空気流ストリッパを担持するフレーム（１５６など）をさらに含むことができる。フレームは、データ記憶ディスクの外縁とフィンに対し、ほぼ横方向の境界面を画定し、かつ空気流ストリッパと交差するシュラウド（１５８など）を含むことができる。
【００３９】
フレームは、動作位置と引込み位置の間で動く空気流ストリッパを担持する担持手段（１４８、１７６など）と、空気流ストリッパを動作可能なように動作位置に保持する保持手段（１７０、１７４など）とを含むことができる。
【００４０】
フレームは、エンクロージャ内において、フレームに対し取付け力を提供する、エンクロージャと圧縮係合可能な偏倚部材（１８２など）を含むことができる。
【００４１】
本発明の様々な実施形態の構造および機能の詳細と共に、本発明の様々な実施形態の多くの特徴と利点を以上の記述において述べたが、本開示は、単に例示であり、特に本発明の原理の範囲内にある部分の構造と構成について、添付の請求項を説明している用語の広範な一般的な意味によって示された最大限まで、詳細に変更することが可能である。例えば、本発明の範囲と精神から逸脱せずに、ほぼ同じ機能を維持しながら、空気中調節装置の大きさと配置を変更することが可能である。さらに、本明細書に記述した好ましい実施形態は、ディスク・ドライブ組立物用の下流ストリッパ組立物を対象とするが、当業者なら、本発明の教示は、本発明の範囲と精神から逸脱せずに、データ記憶試験または認可システム、サーボ・トラック・ライタ、または光学データ記憶システムなど、他のシステムに適用することができることを理解するであろう。
【図面の簡単な説明】
【図１】
一部切断されたカバーを有する、本発明の実施形態に従って構築したディスク・ドライブの概略的な平面図である。
【図２】
図１の空気流ストリッパの拡大した詳細図である。
【図３】
本発明の他の実施形態に従って構築した空気流ストリッパを示す、図２と同様の図である。
【図４】
読取り／書込みヘッドの下流にあり、かつディスクではさまされた空気流ストリッパを示す、図１の線４−４に沿った部分断面図である。
【図５】
ベース床によって回転式に担持した図１の空気流ストリッパの立面図である。
【図６】
引込み位置にある空気流ストリッパを明らかにするために、ディスクとアクチュエータを部分的に切断し、空気流ストリッパを、破線で動作位置においても示している、図１のディスク・ドライブの等角投影図である。
【図７】
ベース床によって形成したシュラウドをより具体的に示す、図１のディスク・ドライブの簡略的な平面図である。
【図８】
ベース床によって形成したシュラウドをより具体的に示す、図１のディスク・ドライブの簡略的な平面図である。
【図９】
図１のディスク・ドライブの空気流調節装置の一部を拡大した詳細図である。
【図１０】
ディスクの縁に作用する放出された気流から離脱する渦を示す、データ記憶ディスクの概略的な立面図である。
【図１１】
ディスクの縁に作用する放出された気流から離脱する渦を示す、本発明に従って構築したデータ記憶ディスクとシュラウドの概略的な立面図である。
【図１２】
引込み位置にある空気流ストリッパを示す、図６の線１２−１２に沿った断面図である。
【図１３】
アクチュエータがディスク・スタックと組み合わされている、図１のディスク・ドライブの組立て順序の概略図である。
【図１４】
空気流調節装置が空気流ストリッパを引込んでエンクロージャに配置される、図１のディスク・ドライブの組立て順序の概略図である。
【図１５】
空気流ストリッパが、動作可能なように伸ばされ、ディスク・スタックではさまれている、図１のディスク・ドライブの組立て順序の概略図である。
【図１６】
動作位置に確実に配置され、かつ保持された空気流ストリッパの概略的な平面図である。
【図１７】
図１の空気流調節装置のフレーム部分の立面図である。
【図１８】
図１７の分割線１８−１８に沿った断面図である。
【国際公開パンフレット】
2004505396.tif 000003
2004505396.tif 000004
2004505396.tif 000005
2004505396.tif 000006
2004505396.tif 000007
2004505396.tif 000008
2004505396.tif 000009
2004505396.tif 000010
2004505396.tif 000011
2004505396.tif 000012
2004505396.tif 000013
2004505396.tif 000014
2004505396.tif 000015
2004505396.tif 000016
2004505396.tif 000017
2004505396.tif 000018
2004505396.tif 000019
2004505396.tif 000020
2004505396.tif 000021
2004505396.tif 000022
2004505396.tif 000023
2004505396.tif 000024
2004505396.tif 000025
2004505396.tif 000026
2004505396.tif 000027
2004505396.tif 000028
2004505396.tif 000029
2004505396.tif 000030
2004505396.tif 000031
【国際公開パンフレット（コレクトバージョン）】
2004505396.tif 000032
【国際調査報告】
2004505396.tif 000033
2004505396.tif 000034